(57)【要約】【課題】  本発明は、１本で義歯の排列・調整加工を行うことが可能であって、かつ、義歯の維持孔を容易に垂直に削孔可能なこと、並びに切削屑が目詰まりすることない義歯排列・調整用バーを提供することを目的とする。併せて、歯科医師が患者の口腔内で使用して、砥粒が脱落して患者に不快感を与えることがなく、衛生的にも優れた義歯排列・調整用バーを提供することを目的とする。【課題を解決するための手段】本発明に係る義歯排列・調整用バーは、棒状の軸部と、軸部の先端に配置されるヘッド部と 、を備え、ヘッド部は、先端方向に直径が漸減する形状を有するヘッド基底部と該ヘッド基底部の先端から伸長する ヘッド先端部とを有する、義歯排列・調整用バーである。【選択図】図２
2019216865.tif 000002
【特許請求の範囲】
【請求項１】
棒状の軸部と、
前記軸部の先端に配置されるヘッド部と、を備え、
前記ヘッド部は、先端方向に直径が漸減する形状を有するヘッド基底部と該ヘッド基底部の先端から伸長するヘッド先端部とを有する、義歯排列・調整用バー。
【請求項２】
前記ヘッド部は、前記ヘッド基底部の外表面及び前記ヘッド先端部の先端表面に、クロスカット状の切削刃を有する請求項１に記載の義歯排列・調整用バー。
【請求項３】
前記ヘッド先端部の直径は、先端方向に向かって暫増する請求項１又は２に記載の義歯排列・調整用バー。
【請求項４】
前記ヘッド基底部の長さが１０〜２０ｍｍ及び最大径が４〜１０ｍｍである、請求項１〜３のいずれか一項に記載の義歯排列・調整用バー。
【請求項５】
前記ヘッド先端部の長さが５〜１２ｍｍ及び直径が１．４〜３ｍｍである、請求項１〜４のいずれか一項に記載の義歯排列・調整用バー。
【請求項６】
前記ヘッド先端部は、先端面の中心を通るスリットを有する請求項１〜５のいずれか一項に記載の義歯排列・調整用バー。
【請求項７】
前記スリットは、１つ又は平行する複数の溝を含む、請求項６に記載の義歯排列・調整用バー。
【請求項８】
前記スリットの幅は０．０１〜０．３ｍｍである、請求項６又は７に記載の義歯排列・調整用バー。
【請求項９】
前記義歯排列・調整用バーの材質が、タングステンカーバイト又はジルコニアである請求項１〜８のいずれか一項に記載の義歯排列・調整用バー。
【発明の詳細な説明】
【技術分野】
【０００１】
本発明は、義歯の排列・調整加工を行う義歯排列・調整用バーに関するものである。
【背景技術】
【０００２】
歯科医師や歯科技工士は、回転切削工具を用いてレジン制作物や入れ歯（義歯）、石膏模型の調整や義歯の基底部に義歯の維持孔の削孔を行う。ここで、削孔には、例えば、特許文献１に開示されているような歯科用ドリル、調整には、例えば、特許文献２に開示されているような歯科用バーが用いられる。
【０００３】
このように、用途に応じて複数のバーを用いる必要があることから、工程に応じてバーを交換する必要があるため、煩雑であり、作業効率が劣っていた。また、特許文献１に開示されているような歯科用ドリルでは、垂直に削孔できず、斜めに削孔されてしまう問題があった。そこで、非特許文献１には、ダイヤモンドを電着した切削部の先端に直径が細い先端部を設け、1本で維持孔の削孔と基底部の切削が可能な歯科用バーを開示している。しかしながら、ダイヤモンドを電着した切削部の切削面に、切削した切削粉が目詰まりして切削ができなくなることから、一定時間毎に切削粉の除去を行う必要があり煩雑であった。また、歯科医師が患者の口腔内で咬合調整や義歯の基底部を切削加工すると、ダイヤモンド砥粒が剥離して脱落するため、患者に不快感を与え、また、衛生的にも好ましくない、という問題があった。
【先行技術文献】
【特許文献】
【０００４】
【特許文献１】特開２０１２−０７５６９６号公報
【特許文献２】特表２００３−５１７３５０号公報
【非特許文献】
【０００５】
【非特許文献１】山八歯材工業株式会社ＨＰ  http://www.yamahachi-dental.co.jp/products/14abrasive/17pig_bristles/index.php#toothbur
【発明の概要】
【発明が解決しようとする課題】
【０００６】
本発明は、１本で義歯の排列・調整加工を行うことが可能であって、かつ、義歯の維持孔を容易に垂直に削孔可能なこと、並びに切削屑が目詰まりすることない義歯排列・調整用バーを提供することを目的とする。併せて、歯科医師が患者の口腔内で使用しても、砥粒が脱落して患者に不快感を与えることがなく、衛生的にも優れた義歯排列・調整用バーを提供することを目的とする。
【課題を解決するための手段】
【０００７】
本発明に係る義歯排列・調整用バーは、棒状の軸部と、
軸部の先端に配置されるヘッド部と 、を備え、
ヘッド部は、先端方向に直径が漸減する形状を有するヘッド基底部と該ヘッド基底部の先端から伸長する ヘッド先端部とを有する、義歯排列・調整用バーである。
【０００８】
本発明に係る義歯排列・調整用バーであれば、１本の義歯排列・調整用バーで義歯の維持孔を削孔、義歯の切削及び咬合調整を行うことが可能であり、工程に合わせて義歯排列・調整用バーを交換する煩雑さがない。
【０００９】
本発明に係る義歯排列・調整用バーのヘッド部は、ヘッド基底部の外表面及びヘッド先端部の先端表面に、クロスカット状の切削刃を有する義歯排列・調整用バーである。
【００１０】
本発明に係る義歯排列・調整用バーであれば、義歯の切削及び咬合調整を容易に行うことができる。
【００１１】
本発明に係る義歯排列・調整用バーのヘッド先端部の直径は、先端方向に向かって暫増する義歯排列・調整用バーである。
【００１２】
歯科医師が患者の口腔内で咬合調整する際に、ヘッド先端部を挿入して咬合調整を容易に行うことができる。
【００１３】
本発明に係る義歯排列・調整用バーのヘッド基底部の長さが１０〜２０ｍｍ及び最大径が４〜１０ｍｍである義歯排列・調整用バーである。
【００１４】
本発明に係る義歯排列・調整用バーであれば、義歯の基底部の切削加工が容易に行うことができる。
【００１５】
本発明に係る義歯排列・調整用バーのヘッド先端部の長さが５〜１２ｍｍ及び直径が１．４〜３ｍｍである、義歯排列・調整用バーである。
【００１６】
本発明に係る義歯排列・調整用バーであれば、咬合調整並びに義歯の維持孔付与（削孔）を容易に行うことができる。
【００１７】
本発明に係る義歯排列・調整用バーのヘッド先端部は、先端面の中心を通るスリットを有する義歯排列・調整用バーである。
【００１８】
本発明に係る義歯排列・調整用バーであれば、義歯の維持孔付与（削孔）を確実に垂直に行うことができる。
【００１９】
本発明に係る義歯排列・調整用バーのスリットは、１つ又は平行する複数の溝 を含む、義歯排列・調整用バーである。
【００２０】
本発明に係る義歯排列・調整用バーであれば、義歯の維持孔付与（削孔）をより確実に垂直に行うことができる。
【００２１】
本発明に係る義歯排列・調整用バーのスリットの幅は０．０１〜０．３ｍｍである、義歯排列・調整用バーである。
【００２２】
本発明に係る義歯排列・調整用バーであれば、義歯の維持孔付与（削孔）をより確実に垂直に行うことができる。
【００２３】
本発明に係る義歯排列・調整用バーの材質が、タングステンカーバイト又はジルコニアである義歯排列・調整用バーである。
【００２４】
義歯排列・調整用バーの材質が、タングステンカーバイト又はジルコニアであれば、切削材としてダイヤモンドを用いた場合のように、刃に切削屑が目詰まりすることないので切削屑を清掃除去する煩雑さがない。また、砥粒が脱落して患者に不快感を与えることがなく、衛生的にも優れていることから、歯科医師が患者の口腔内で使用することも可能である。
【発明の効果】
【００２５】
本発明に係る義歯排列・調整用バーであれば、工程に応じて交換することなく１本で義歯の排列・調整加工を行うことが可能であり、工程に合わせて義歯排列・調整用バーを交換する煩雑さがない。
【図面の簡単な説明】
【００２６】
【図１】図１は、本発明に係る義歯排列・調整用バーを用いて、総義歯を調整・加工している状態を示す模式斜視図である。
【図２】図２は、本発明に係る義歯排列・調整用バーの実施形態を示す平面図である。
【図３】図３は、本発明に係る義歯排列・調整用バーの実施形態のヘッド先端部の拡大図である。
【図４】図４は、本発明に係る義歯排列・調整用バーの実施形態の変形例を示す平面図である。
【図５】図５は、本発明に係る義歯排列・調整用バーの実施形態の変形例のヘッド先端部の拡大図である。
【発明を実施するための形態】
【００２７】
以下、本発明の一実施形態を、説明する。
【００２８】
図１に、本実施形態に係る義歯排列・調整用バー２がハンドピース１に取り付けられ、総義歯３の切削加工を行っている状態を示す。
【００２９】
ハンドピース１は、モーター（不図示）を内蔵する略円柱状体であり、先端に開口を有する。この開口に義歯排列・調整用バー２の軸部１１を挿入し、義歯排列・調整用バー２に回転を伝える。
【００３０】
図２に本実施形態に係る義歯排列・調整用バー２の平面図を示す。本実施形態は、大臼歯・小臼歯用の義歯排列・調整用バー２である。
【００３１】
義歯排列・調整用バー２は、タングステンカーバイトからなる1本の棒状体から切削加工により成型され、円柱状の軸部１１と軸部１１の先端に形成されたヘッド部２１とを備える。ヘッド部２１は、先端に向かって直径が漸減する形状、本実施形態では一例として砲弾状の形態を有するヘッド基底部２２と、ヘッド基底部２２の先端から伸長する柱状のヘッド先端部２３を有する。なお、義歯排列・調整用バー２は、ステンレスなどの金属製の軸部１１にタングステンカーバイトからなるヘッド部２１を接合しても良い。また、ヘッド部２１の材質は、義歯を切削・削孔が可能な硬質材であれば良く、タングステンカーバイトに限られず、例えば超硬合金、ジルコニア、窒化ホウ素、サーメットなどであっても良い。また、ヘッド先端部２３とヘッド基底部２２とで、同一の素材を用いて一体的に成形してもよいし、複数の素材を用いて個別に構成したものを接合して構成してもよい。
【００３２】
ヘッド基底部２２は、軸方向の長さが１０〜２０ｍｍ、最大径が４〜１０ｍｍであり、外周面にクロスカット状の切削刃２６を有する。ヘッド基底部２２の長さが１０ｍｍ未満であると、義歯の基底部の切削加工を行う際に、広い面積で切削加工を行うことができず、また、長さが２０ｍｍを超えると、義歯の基底部に対して切削面が長すぎて作業性が低下し、好ましくない。一方、最大径が４ｍｍ未満であると、広い面積で切削加工を行うことができず、また、最大径が１０ｍｍを超えると、切削面が広すぎて好ましくない。クロスカットの刃の数は、右刃が１２〜３６枚、左刃６〜２６枚であり、刃の数が右刃１２枚未満、左刃６枚未満であると、切削面が粗くなりすぎて好ましくなく、右刃３７枚以上、左刃２７枚以上であと、目が細かすぎて切削加工の作業性が悪化し好ましくない。なお、大臼歯・小臼歯用の義歯排列・調整用バー２のヘッド基底部２２は、軸方向の長さが１４ｍｍ、最大径が６ｍｍであると、作業性が良好である。
【００３３】
ヘッド基底部２２の形状が、先端に向かって直径が漸減する形状、本実施形態では一例として砲弾状の形態であると、義歯の形状に沿って義歯の切削を行うことが可能であり、不必要に広い面積を切削することがなく、好ましい。
【００３４】
ヘッド先端部２３の全長は５〜１２ｍｍ、直径は１．４〜３ｍｍであり、ヘッド基底部２２側から先端に向かって、直径が暫増している。また、先端側１／２乃至４／５の外周面には、クロスカットされた切削刃２６を有する。ヘッド先端部２３の先端面２４は、ドーム状をなし、一例として平行する２本の溝を含むスリット２５を有する。ヘッド先端部２３の全長が５ｍｍ未満であると、咬合調整を行う際に十分な切削面を確保できず、また、１２ｍｍを超えると長すぎて作業性が悪化することから、好ましくない。一方、直径が１．４ｍｍ未満であると削孔した維持孔の内径が小さくて、３ｍｍを超えると維持孔の内径が大きくて、好ましくない。クロスカットの刃の数は、右刃が６〜２０枚、左刃４〜１６枚であり、刃の数が右刃６枚未満、左刃４枚未満であると、切削面が粗くなりすぎて好ましくなく、右刃２１枚以上、左刃１７枚以上であと、目が細かすぎて切削加工の作業性が悪化し好ましくない。また、ヘッド先端部２３のヘッド基端部２２側の１／２乃至１／５には、ヘッド先端部２３とヘッド基端部２２のそれぞれのクロスカットの刃数が異なることから、クロスカットが施されていない。なお、大臼歯・小臼歯用の義歯排列・調整用バー２のヘッド先端部２３は、軸方向の長さが６ｍｍ、最大径が２ｍｍであると、作業性が良好である。また、ヘッド先端部２３が先端方向に向かって直径が暫増していると、歯科医師が患者の口腔内で咬合調整する際に、ヘッド先端部を挿入して咬合調整を容易に行うことができ、好ましい。ヘッド先端部２３の先端面２４は、ドーム状をなしていると、小さな面積を切削可能であり、微細な咬合調整を行うことが可能であり、好ましい。
【００３５】
図３にヘッド先端部２３の拡大図を示す。（Ａ）は正面図であり、（Ｂ）は斜視図である。ヘッド先端部２３の先端面２４のスリット２５は、２本の溝２７を含んで先端面２４の中心を通る。それぞれの溝２７の開口幅０．０１〜０．３ｍｍ、深さ０．０３〜０．５ｍｍである。ヘッド先端部２３の先端面２４にスリット２５を有すると、維持孔を垂直に付与（削孔）することが可能であるが、スリット２５を有しないと、垂直に維持孔を付与することが困難であり、好ましくない。なお、スリット２５の数は、ヘッド先端部２３の直径に基づき、適宜決定すれば良い。
【００３６】
次に、本発明の実施形態の変形例に係る前歯用の義歯排列・調整用バー２について、説明する。
【００３７】
図４に、前歯用の義歯排列・調整用バー２の平面図を、図５にヘッド先端部２３の拡大図を示す。（Ａ）は正面図であり、（Ｂ）は斜視図である。
【００３８】
本発明の実施形態の変形例に係る前歯用の義歯排列・調整用バー２は、実施形態と同様に、円柱状の軸部１１と軸部１１の先端に形成されたヘッド部２１とを備え、ヘッド部２１は、先端向かって直径が漸減する砲弾状の形態を有するヘッド基底部２２と、ヘッド基底部２２の先端から伸長する円柱状のヘッド先端部２３を有する。なお、前歯用の義歯排列・調整用バー２のヘッド基底部２２も同様に、軸方向の長さが１４ｍｍ、最大径が６ｍｍであると、作業性が良好である。
【００３９】
ヘッド先端部２３の長さは１０ｍｍ及び直径は１．６ｍｍであり、細く且つ長い維持孔の削孔に好適である。また、先端側１／２乃至４／５の外周面には、クロスカットされた切削刃２６を有するが、直径は一定であり、前歯の義歯の切削に好適な形状を有する。また、ヘッド先端部２３の先端面２４は、ドーム状をなし、１本の溝２７を含むスリット２５を有する。溝２７の開口幅０．０１〜０．３ｍｍ、深さ０．０３〜０．５ｍｍである。
【００４０】
次に、本発明に係る義歯排列・調整用バー２を用いて行う、義歯の加工について説明する。先ず、加工を行う歯に適する義歯排列・調整用バー２を選択の上、ハンドピース１の先端の開口に義歯排列・調整用バー２の軸部１１を挿入し固定する。次に、ハンドピースのスイッチ（不図示）を入れ、義歯排列・調整用バー２を回転させ、例えば、義歯の基底部を切削する際には、ヘッド基底部２２の外周面を義歯の基底部に当てて切削加工を行う。また、義歯に維持孔を付与（削孔）する際には、義歯に垂直にヘッド先端部２３を押し当てて、付与する。一方、咬合を調整する際には、ヘッド先端部２３の外周面を用いて調整を行う。したがって、一連の作業を1本の義歯排列・調整用バー２で行うことが可能であり、作業の工程に応じて義歯排列・調整用バー２を交換する必要がなく、作業効率を向上することができる。
【産業上の利用可能性】
【００４１】
本発明に係る義歯排列・調整用バーであれば、作業の工程に応じて義歯排列・調整用バー２を交換することなく１本で義歯の排列・調整加工を行うことが可能であって、かつ、義歯の維持孔を容易に垂直に削孔可能なこと、並びに切削屑が目詰まりすることがない。併せて、砥粒が脱落して患者に不快感を与えることがなく、衛生的にも優れていることから、歯科医師が患者の口腔内で使用することも可能である。
【符号の説明】
【００４２】
１  ハンドピース
２  義歯排列・調整用バー
３  総義歯                   
１１  軸部
２１  ヘッド部
２２  ヘッド基底部
２３  ヘッド先端部
２４  先端面
２５  スリット
２６  切削刃
２７  溝
【図１】
2019216865.tif 000003
【図２】
2019216865.tif 000004
【図３】
2019216865.tif 000005
【図４】
2019216865.tif 000006
【図５】
2019216865.tif 000007
【手続補正書】
【提出日】平成30年11月16日(2018.11.16)
【手続補正１】
【補正対象書類名】特許請求の範囲
【補正対象項目名】全文
【補正方法】変更
【補正の内容】
【特許請求の範囲】
【請求項１】
棒状の軸部と、
前記軸部の先端に配置されるヘッド部と、を備え、
前記ヘッド部は、先端方向に直径が漸減する形状を有するヘッド基底部と該ヘッド基底部の先端から伸長しドーム状の先端面を有するヘッド先端部とを有し、
前記ヘッド先端部は、前記先端面の中心を通るスリット及び該スリットの周囲を含む外表面にクロスカット状の切削刃を有する、義歯排列・調整用バー。
【請求項２】
前記ヘッド基底部は、外周面にクロスカット状の切削刃を有する請求項１に記載の義歯排列・調整用バー。
【請求項３】
前記ヘッド先端部のクロスカット状の切削刃が形成された領域は前記ヘッド基底部のクロスカット状の切削刃が形成された領域から離間し、前記ヘッド先端部のクロスカット状の切削刃のピッチは前記ヘッド基底部のクロスカット状の切削刃のピッチと異なる請求項２に記載の義歯排列・調整用バー。
【請求項４】
前記ヘッド先端部の直径は、先端方向に向かって暫増する請求項１〜３のいずれか一項に記載の義歯排列・調整用バー。
【請求項５】
前記ヘッド基底部の長さが１０〜２０ｍｍ及び最大径が４〜１０ｍｍである、請求項１〜４のいずれか一項に記載の義歯排列・調整用バー。
【請求項６】
前記ヘッド先端部の長さが５〜１２ｍｍ及び直径が１．４〜３ｍｍである、請求項１〜５のいずれか一項に記載の義歯排列・調整用バー。
【請求項７】
前記スリットは、１つ又は平行する複数の溝を含む、請求項１〜６のいずれか一項に記載の義歯排列・調整用バー。
【請求項８】
前記スリットの幅は０．０１〜０．３ｍｍである、請求項１〜７のいずれか一項に記載の義歯排列・調整用バー。
【請求項９】
前記義歯排列・調整用バーの材質が、タングステンカーバイト又はジルコニアである請求項１〜８のいずれか一項に記載の義歯排列・調整用バー。